(57)【特許請求の範囲】
【請求項１】
内ライナを有する空気タイヤの状態をモニターするように用いられるモニター装置の組み合わせであって、
モニター装置、
該モニター装置を支持し、モニター装置を空気タイヤの内ライナに装着するように用いられるパッチ、
該パッチに支持されるアンテナ、
該アンテナを前記モニター装置に接続するコネクタ、
を具備することを特徴とするモニター装置の組み合わせ。
【請求項２】
タイヤの内ライナにモニター装置を設置する方法であって、
第１の接続部材を有するモニター装置を設ける過程と、
モニター装置とは別個に、第２の接続部材に接続されるアンテナを有するパッチを設ける過程と、
モニター装置をパッチに取り付ける過程と、
第１と第２の接続部材を接続して、アンテナとモニター装置の間を接続する過程と、
パッチを内ライナーに装着する過程と、
を具備することを特徴とする方法。
【請求項３】
内ライナを有する空気タイヤの状態をモニターするように用いられるモニター装置の組み合わせであって、
モニター装置、
該モニター装置に取り付けられる取り付けパッチ、
タイヤの内ライナに取り付けられるようにした固定層、
該固定層に支持されるアンテナ、
前記モニター装置に取り付けられ、前記アンテナと接触してアンテナとモニター装置の間を接続するコネクタ、
を具備することを特徴とするモニター装置の組み合わせ。
【請求項４】
タイヤの内ライナにモニター装置を取り付けるための固定パッチであって、
内ライナに取り付けられるようにした固定層と、
該固定層により支持されるアンテナと、
前記固定層の少なくとも一側部に支持されるカバーと、
前記固定層と前記カバーの間に位置する硬化材の層と、
を具備することを特徴とする固定パッチ。
【請求項５】
タイヤの内ライナにモニター装置を取り付ける方法であって、
アンテナを支持する固定層とカバーを有する固定パッチを設ける過程と、
固定パッチをタイヤの内ライナに取り付ける過程と、
カバーを取り外す過程と、
コネクタを有するモニター装置を設ける過程と、
モニター装置を固定層に取り付ける過程と、
モニター装置のコネクタとアンテナを接続する過程と、
を具備することを特徴とする方法。
【請求項６】
内ライナを有する空気タイヤの状態をモニターするように用いられる装置であって、
少なくとも一つの検出部材を有するモニター装置、
パッチ、
タイヤの内ライナに装着するようにしたパッチに装着されるアンテナ、
を具備し、該アンテナがモニター装置に接続されることを特徴とする装置。
【請求項７】
モニター装置、及び内ライナを有するタイヤの組み合わせであって、
内ライナに取り付けられるアンテナ、
内ライナに装着されるモニタ装置、
を具備し、前記アンテナがモニター装置に接続されることを特徴とする組み合わせ。
【発明の詳細な説明】
【０００１】
【発明の背景】
【０００２】
【技術分野】
本発明は空気タイヤの工学条件を少なくとも一つモニターするためのモニター装置に概ね関し、特に、モニター装置のアンテナをパッチ内に配置した、モニター装置とパッチの組み合わせに関する。具体的には、本発明は封入モニター装置と、封入モニタ装置を空気タイヤの内ライナに取り付けるためのパッチに関するもので、モニター装置のアンテナはパッチ内に配置され、ユーザがアンテナをモニター装置に選択的に取り付けられるようにしたコネクタを含んでいる。
【０００３】
【従来技術及びその課題】
本技術分野では、車両にタイヤを設置して使用中に、タイヤの工学条件をモニターする必要がしばしばある。測定が望ましい条件の代表的なものとして、タイヤの回転数、タイヤの内部温度、およびタイヤの内部圧力がある。これらの測定は、タイヤを車両で使用中に、測定のためにタイヤを車両から取り外したり特別な配置にすることなく、実施できることが好ましい。
【０００４】
本技術分野では、これら測定を実施するためのモニター装置が数多く知られている。その一つに、タイヤ本体に埋設され、誘導電磁結合（inductive magnetic coupling）によって回路を付勢する無線周波数送信（radio frequency transmission）で駆動される受動集積回路（passive integrated circuit）を用いるモニター装置がある。タイヤ条件のモニターに用いられるその他の従来装置には、バルブステムなど、タイヤの外部に配置される自蔵動力式回路（self-powered circuit）などがある。その他プログラム可能で自蔵動力式の能動電子装置（active self-powered programmable electronic devices）が、本出願の譲受人に譲渡された米国特許第５，５７３，６１０、第５，５６２，７８７、第５，５７３，６１１号に開示されている。
【０００５】
プログラム可能な自蔵動力式電子装置はそれぞれ、モニター装置が収集した情報を、タイヤ外部に位置する情報収集装置に伝送するために用いられるアンテナを含む。本技術の問題の一つに、モニター装置で収集した情報がタイヤ外部の情報収集装置に正確に伝送されるようにアンテナを位置決めすることがある。伝送波が側壁に直接届くように空気タイヤの側壁にアンテナを取り付けることが望ましい。従来は、モニター装置のアンテナは通常タイヤの内部チェンバーまで伸びていて、伝送波はタイヤ内部の空気中をまず通過し、内ライナ、タイヤ側壁を経た後、空気中を通って情報収集装置に到達するようになっていた。本技術では、伝送波がタイヤ側壁に進入する前にタイヤの内部チェンバーを通過しなくてもよいようなアンテナをプログラム可能で自蔵動力式の能動電子装置用に提供することが望まれる。
【０００６】
タイヤのビードリングや先端フィラー（apex filler）は、モニター装置からの伝送を干渉しやすい。したがって、本技術では、アンテナをビードリングや先端フィラーから離れた位置に配置して、側壁を通る伝送をできるだけ強くすることが望ましい。その一方で、タイヤ側壁のうちビードリングや先端フィラーに近い領域は低屈曲領域で、タイヤの中央部に比べ伸びが少ないため、モニター装置をできるだけこの領域近くに配置することが望ましい。したがって、本技術では、両方の部材にとって望ましい配置を可能にする、アンテナおよびモニター装置の取り付け方法を提供することが望まれる。
【０００７】
本技術での従来のモニター装置は、封入材（encapsulating material）で封入することで、空気タイヤが通常遭遇し経験する力によって、モニター装置が破壊されないように、装置に構造上の支持を与えるのが一般的である。状況によっては、アンテナを封入モニター装置から延在させなければならないことを、この封入工程で考慮しておかなければならない。アンテナをモニタ装置とは別に位置決めすることで、この封入時の問題を排除するモニター装置構造を提供することが望まれる。
【０００８】
モニター装置をタイヤ内部に取り付ける方法の一つに、ゴム製の取り付けパッチを用いてモニター装置を支持させ、このゴム製取り付けパッチはゴム製取り付けパッチの内面がタイヤの内ライナにしっかりと接着する構造にしておく方法がある。繊細なモニター装置はゴム製パッチとは別の場所で製造しておいて、タイヤの内ライナにモニター装置を取り付ける際に組立ができるようにすることが望ましい。ゴム製取り付けパッチと繊細なモニター装置を別にしておけば、繊細なモニター装置を傷つけることなく、ゴム製取り付けパッチをしっかりタイヤの内ライナに取り付けることも可能になる。ゴム製取り付けパッチを内ライナにしっかり固定した後、モニタ装置をパッチに取り付ければよい。
【０００９】
上記に鑑み、本明細の目的は、モニター装置とパッチを別個の製造施設で作製した後、モニター装置を空気タイヤに設置する際にモニター装置とパッチを互いに組み立てるようにしたモニター装置とパッチの組み合わせを提供することにある。
【００１０】
本発明の他の目的は、モニター装置用アンテナをパッチに支持させた、モニター装置とパッチの組み合わせを提供することにある。
【００１１】
本発明のさらなる目的は、タイヤのビードリングとセンタンフィラーから離れた位置で、タイヤ側壁に伝送波が直接進入するような位置に、アンテナを配置したモニター装置とパッチの組み合わせを提供することにある。
【００１２】
本発明の他の目的は、アンテナがビードリングとセンタンフィラーから離れた理想的な位置に配置され、かつモニター装置はビードリングに近い位置に配置できるようなモニター装置とパッチの組み合わせを提供することにある。
【００１３】
本発明の他の目的は、アンテナとモニター装置をそれぞれ作製した後に、ユーザがこれら各部材間を接続できるようにしたコネクタを設けた、モニター装置とパッチの組み合わせを提供することにある。
【００１４】
本発明のさらなる目的は、モニター装置をパッチに対して位置整合させて（aligned）接続すると、アンテナとモニター装置の接続が自動的に行われるようにした、モニター装置とパッチの組み合わせを提供することにある。
【００１５】
本発明の他の目的は、モニター装置をタイヤの内ライナに設置する方法であって、組み合わせの中のパッチを、モニター装置より先にモニター装置を傷つける危険なしに、タイヤの内ライナに取り付けて強く縫い合わせておけるような方法を提供することにある。
【００１６】
本発明の他の目的は、モニター装置とパッチを組み合わせたものを固定パッチに接着すると、固定パッチ内に埋設したアンテナとの接続が自動的に形成されるモニター装置とパッチの組み合わせを提供することにある。
【００１７】
本発明の他の目的は、構成が単純で、記載の目的を簡単、効果的、かつ安価なやり方で達成し、問題を解決し、本技術分野でのニーズを満たす方法と組み合わせを提供することにある。
【００１８】
本発明のこれらおよびその他の目的および利点は、内ライナを持つ空気タイヤの状態をモニターするために用いられるモニター装置とパッチの組み合わせによって得られるもので、この組み合わせには、モニター装置、モニター装置を選択的に支持し、空気タイヤの内ライナにモニター装置を装着するためのパッチ、パッチに支持されるアンテナ、アンテナを選択的、物理的、電気的に、モニター装置につ接続するコネクタ、が含まれる。
【００１９】
【発明の要旨】
本発明のその他の目的および利点は、第１の接続部材を持つモニター装置を設け、モニター装置とは別個に第２の部材に取り付けたアンテナを持つパッチを設け、モニター装置をパッチに取り付け、第１と第２の部材をつないで、アンテナとモニター装置間の接続をもたらし、パッチを内ライナに装着する、ステップを含む、モニター装置をタイヤの内ライナに設置するための方法によって得られる。
【００２０】
【好ましい実施例の説明】
本発明原理の適用を出願人が意図する最適態様を例示する本発明の好ましい実施例を以下に記述し、図面に示し、付属クレームに具体的かつ明確に指摘し記載する。図中、同一部分は同一の数字で表す。
【００２１】
本発明のモニター装置とパッチの組み合わせの第１実施例を図１乃至４に示し、その全体を数字１０で表す。組み合わせ１０は図１では空気タイヤ８の内ライナ１２に取り付けられている。好ましくは、組み合わせ１０は適切な接着剤などの本技術で周知の取り付け方で、またはコネクタを用いて内ライナ１２に取り付ける。
【００２２】
組み合わせ１０は、別個に作製されるモニター装置１４とパッチ１６を含む。モニター装置１４は、空気タイヤ８の工学条件に関する情報を少なくとも一つ収集する検出部材１８を少なくとも一つ含むが、複数の検出部材を含むこともできる。モニター装置はさらに、モニター装置１４に電力を供給するバッテリ２４などの電源を含む。モニタ装置の例は米国特許第５,５７３,６１０号、５,５００,０６５号にしめされており、その内容は言及によって本書に組み込まれる。
【００２３】
本発明の第１の実施例では、モニター装置１４はソケットとして設けられる第１の接続部材２６に接続される。モニター装置１４と第１接続部材すなわちソケット２６はモニター装置を保護する役割を果たし、封入モニター装置３１を形成する封入材３０で封入するのが好ましい。封入材３０としては、モニター装置１４とソケット２６の周囲に剛性のある構造をもたらす適切なエポキシまたはプラスチックがよい。封入材３０を通る開口部２７（図４）を介して、封入モニター装置３１の外部からソケット２６にアクセスできる。封入モニター装置３１は装置３１の装着面となる底面３２を含む。
【００２４】
パッチ１６（図２）は、パッチ本体内部に埋設されたアンテナ３４をふくむ。アンテナ３４は、ワイヤ、プレート、ロッドなどを含め、様々な形状を取ることができる。第２接続部材３６がアンテナ３４に接続される。本発明の第１の実施例では、第２接続部材３６は柔軟なワイヤ４１によってアンテナ３４に接続されるプラグである。パッチ１６は、内ライナ１２との適合性がよく、これに対して好ましい接着特性を示す好適なゴムで形成する。パッチ１６には封入モニター装置３１を受ける窪んだ頂面３８が設けられていて、頂面３８はモニタ装置３１をパッチ１６に取り付けたとき、底面３２が頂面３８に載るような大きさを持つ。パッチ１６には脚部３５（図４）も設けられていて、封入モニター装置３１が収まっている頂部３８から伸びている。アンテナ３４は脚部３５内に配置されていることで、モニター装置１４から遠ざかる方向に延在する。この相対位置により、組み合わせ１０を内ライナ１２に取り付けたとき（図１）、アンテナ３４はタイヤ８のビードリング３７と先端フィラー３９から離れた位置に配置できる。アンテナ３４とモニター装置１４の間に間隔があるため、モニター装置１４はビードリング３７に近く、アンテナ３４はビードリング３７から離れた、内ライナ上の理想的な位置にこの組み合わせを配置できる。
【００２５】
本発明の目的の一つに基づき、ソケット２６はプラグ３６を受けてアンテナ３４とモニター装置１４間の直接的物理的電気接続（direct physical electrical connection）を形成するよう構成されている。アンテナ３４とモニター装置１４との接続はしたがって、プラグ３６をソケット２６に選択的に設置することで選択的に確立できる。アンテナ３４とモニター装置１４間の直接的、物理的、電気的接続は、プラグ３６がソケット２６に挿入されたとき生じる。モニター装置１４とパッド１６は以下のようにして内ライナ１２に取り付ける。まず、モニター装置１４にソケット２６を設ける。次いで、モニター装置１４を封入材３０で封入して、モニター装置１４の全体と、ソケット２６の一部を封入する。次に脚部３５にアンテナ３４を埋設したパッチ１６を作製する。アンテナ３４はパッチ１６の外に延在する柔軟なワイヤ４１でプラグ３６に接続される。作製段階ではアンテナ３４とモニター装置１４を物理的に接続する必要がないので、封入モニター装置３１とパッチ１６は別々の製造現場で作製することができる。
【００２６】
空気タイヤ８の内ライナ１２のうち、組み合わせ１０を設置しようとする部分を選ぶ。組み合わせ１０は、モニター装置１４がビードリング３７に隣接する一方で、アンテナ３４を持つパッチ１６の脚部３５はビード−リング３７から遠ざかる位置に来るように設置することが望ましい。パッチ１６は適切な接着剤またはその他本技術で周知の他の取り付け方法を用いて内ライナ１２に取り付ける。取り付け方法の一例としては、正しく機能を発揮するには多少の熱を必要とする熱可塑性あるいは熱硬化性接着剤が考えられる。モニター装置１４はパッチ１６を内ライナ１２に取り付けた後でパッチ１６に取り付けるため、パッチ１６は内ライナ１２に強く縫いつけてもモニター装置１４を傷つける危険はない。
【００２７】
次いで、封入モニター装置３１の底面３２をパッチ１６の頂面３８の上に置いて封入モニター装置３１をパッチ１６に取り付ける。適切な接着剤など、適切な方法でこれら２つの部材を結合する。次ぎに、プラグ３６とソケット２６をつないで、アンテナ３４とモニター装置１４間の直接的、物理的、電気的接続を確立する。この接続により、アンテナ３４とモニター装置１４の直接的電気的接続（direct electrical connection）が生じる。
【００２８】
他の設置方法では、封入モニター装置３１をまずパッチ１６に装着し、適切な接着剤でこれに固定する。パッチ１６を内ライナ１２に装着する前に、アンテナ３４とモニター装置１４の直接的電気的接続が確立される。封入モニター装置３１を支持するパッチ１６を次ぎに適切な接着剤を用いて内ライナ１２に装着する。
【００２９】
本発明の第２の実施例を図５，６に示し、その全体を数字１００で表す。組み合わせ１００は、上述の組み合わせ１０と同じ部材、構成を多くふくむため、これら２つの実施例の類似部分の識別には同じ数字を用いる。組み合わせ１００の第２の実施例も、封入モニター装置３１を形成するために封入材３０で封入されるモニター装置１４を含む。組み合わせ１００の第１接続部材１０２は、モニタ装置１４に接続され、封入モニター装置３１の外部まで延在するプラグである。プラグ１０２は封入モニター装置３１の底面３２からほぼまっすぐに（rigidly）延在する。組み合わせ１００の第２接続部材は、パッチ１６の頂面３８に配置されたソケット１０４である。封入モニター装置３１を図６に示すようにパッチ１６の上に載置したとき、プラグ１０２がソケット１０４と合体するように、ソケット１０４はプラグ１０２と位置整合して整列させる（aligned）。プラグ１０２とソケット１０４の位置整合により、封入モニター装置３１をパッチ１６に整列、載置させたとき、アンテナ３４とモニター装置１４の直接的物理的電気接続が自動的に行われる。
【００３０】
組み合わせ１００は以下のようにして空気タイヤ８に設置する。まず、パッチ１６を適切な接着剤またはその他本技術で周知の方法を用いて内ライナ１２に取り付ける。モニター装置１４はまだパッチ１６に取り付けられていないので、パッチ１６を内ライナ１２に強く縫いつけてもモニター装置１４を傷つける危険はない。パッチ１６をしっかりと内ライナ１２に取り付けた後、プラグ１０２とソケット１０４が整列するように、パッチ１２に対する封入モニター装置３１の位置を調整する。次いで、封入モニター装置３１をパッチ１６の頂面３８に載置し、適切な接着剤でこれに固定する。これにより、プラグ１０２がソケット１０４と合体し、自動的にアンテナ３４とモニター装置１４の直接的物理的電気接続が生じる。
【００３１】
組み合わせ１００は、内ライナ１２にパッチ１６を先に装着しておいてから設置することもできる。次ぎに封入モニター装置３１をパッチ１６に装着して、プラグ１０２がソケット１０４に入ると、直接的電気的接続が自動的に確立される。
【００３２】
本発明の他の実施例を図７乃至９を参照して説明する。この実施例では、固定パッチ２００を空気タイヤ２０４の内ライナ２０２に接着する。固定パッチ２００は未加硫タイヤの加硫中、または別途適切な接着剤で内ライナ２０２に接着させる。固定パッチ２００は、好ましくは加硫ゴム製の保護カバー２０６を含む。カバー２０６は複数のコードで強化する。硬化ペーパー、硬化クロスなどの硬化材（cure material）２０８の層をカバー２０６に隣接して配置し、カバー２０６と固定層２１０が一緒に硬化するのを防ぐ。固定層２１０をまず未加硫ゴムで作製し、これを内ライナに縫いつけておいてから、未加硫タイヤの加硫工程中に内ライナ２０２に固着させてもよい。固定層２１０も未加硫ゴム層にして、これを適切な接着剤で内ライナ２０２に接着させてもよい。固定パッチ２００の少なくとも１種と、パッチの使用方法が１９９８年１２月４日出願の米国特許出願第０９／２０６,２７３号および０９／２０５,９３１号に記載されている。
【００３３】
本発明の目的に基づき、カバー２０６は硬化材２０８の中を通って固定層２１０本体に延在するプラグ２１２を含む。電子モニター装置２１４とアンテナ２１６の間にいくつ接続が必要かによって、追加プラグ２１２を設けてもよい。プラグ２１２はそれぞれ、プラグ２１２を取り外せないところまで固定層に接着しない材料で作製するかこれで被覆する。本発明の他の目的に基づき、アンテナ２１６は固定層２１０内に埋設されるが、アンテナは電導性材料で作製した細長いプレート、ワイヤなど、好適なアンテナを用いることができる。アンテナ２１６のこの配置により、モニター２１４は固定パッチ２００とは別個に作製することが可能になる。
【００３４】
本発明のこの実施例では、アンテナ２１６がビードリング２２０、先端フィラー２２２から離れた理想的な位置に配置されるように、固定パッチ２００は内ライナ２０２の上におかれる。この配置により、アンテナ２１６はビードリング２２０、センタンフィラー２２２から離れた位置に延在することができ、アンテナ２１６とタイヤ２０４の外部に位置するデータ収集装置（図示せず）との間の通信が干渉されない。
【００３５】
電子モニター装置２１４をタイヤ２０４に装着する際、カバー２０６と硬化材２０８は図８に示すように固定層２１０から取り外す。カバー２０８を取り外すと、プラグ２１２もはずれ、プラグはアンテナ２１６まで伸びる固定層２１０内の整合穴から抜け出る。整合穴２２４があるため、電子モニター装置２１４をアンテナ２１６に対して位置決めできる。
【００３６】
電子モニター装置２１４は封入材２２６で封入して封入モニター装置２２８を形成するのが普通である。封入モニター装置２２８は好適な接着剤で取り付けパッチ２３０に取り付ける。図９に示すように、ピン２３２などのコネクタが電子モニター装置２１４から封入材２２６、取り付けパッチ２３０を通って延在し、取り付けパッチ２３０と封入モニター装置２２８を固定層２１０に取り付けたとき、整合穴２２４に嵌合して（fill）接触アンテナ（contact antenna）に接触するところまで取り付けパッチ２３０よりさらに延在する。取り付けパッチ２３０と封入モニター装置２２８を固定層２１０に取り付けると、ピン２３２はアンテナ２１６と接触して、電子モニター装置２１４アンテナ２１６との直接的、物理的、電気的接続が形成される。取り付けパッチ２３０と固定層２１０の取付は接着剤を用いてもよく、あるいは、取り付けパッチ２３０を固定層２１０に熱または化学的な硬化工程によって固着させる方法でもよい。
【００３７】
本発明の他の実施例では、封入モニター装置２２８を取り付けパッチ２３０に取り付ける前に、取り付けパッチ２３０を固定層２１０に接着する。さらに他の実施例では、整合穴２２４は形成せず、コネクタ２３２が単に取り付けパッチ２３０と固定層２１０を貫通することでアンテナ２１６とモニター装置２１４の直接的、物理的、電気的接続が行われる。コネクタ２３２を固定層２１０の外まで延在させて、図１乃至３について説明したようにモニター装置２１４で受けるようにしてもよい。
【００３８】
本発明の他の実施例を図１０に示し、その全体を数字２５０で表す。この実施例では、封入モニター装置３１とアンテナ３４は取り付けパッチ２５２内に埋設されている。次ぎに取り付けパッチ２５２を接着剤などの適切なコネクタを用いて空気タイヤの内ライナに取り付ける。パッチ２５２内でのアンテナ３４のこの配置により、アンテナ３４から空気タイヤ側壁を通る伝送波の伝播が向上する。アンテナ３４と封入モニター装置３１のこの位置は、アンテナ３４または封入モニター装置３１が空気タイヤ内部で動くことができないため、これら部材の損傷も防ぐ。
【００３９】
モニター装置とアンテナの組み合わせ２５を内ライナ２５４に装着する別の方法を図１１に示す。この実施例では、固定層２５６は、パッチ２５２を内ライナ２５４に装着するために用いる上記固定層２１０とほぼ同じである。
【００４０】
したがって、モニター装置とパッチの改良組み合わせは簡略化されていて、列挙した本発明の目的すべてを達成する効果的、安全、安価かつ効率的な装置を提供し、従来装置で遭遇された困難を排除し、問題を解決し、本技術に新規な成果をもたらす。
【００４１】
上記の説明では、簡潔さ、明確さ、理解を期して特定の術語を用いたが、これらは説明を目的として用いられ、広義の解釈を意図したものであって、従来技術の要件を超えた不必要な限定を含意しない。
【００４２】
さらに、本発明の説明および図示は例示を目的としたもので、本発明の範囲は図示あるいは記述にある具体的な細部に限定されない。
【００４３】
本発明の特徴と態様を示せば、以下の通りである。
【００４４】
１．  内ライナを持つ空気タイヤの状態をモニターするために用いられるモニター装置とパッチの組み合わせであって、
モニター装置、
前記モニター装置を選択的に支持し、モニター装置を空気タイヤの内ライナに装着するために用いられるパッチ、
前記パッチに支持されるアンテナ、
前記アンテナを前記モニター装置に選択的、物理的、電気的に接続するコネクタ、
を備える組み合わせ。
【００４５】
２．  前記アンテナが前記パッチ内部に埋設される、上記１に記載の組み合わせ。
【００４６】
３．  前記コネクタがプラグを少なくとも１つ、ソケットを少なくとも１つ含む、上記１に記載の組み合わせ。
【００４７】
４．  前記モニター装置が封入材で封入されて、封入モニター装置を形成し、前記封入モニター装置が底面を持つ、上記３に記載の組み合わせ。
【００４８】
５．  前記プラグが前記封入モニター装置から外に延在し、前記ソケットが前記パッチに支持され、前記プラグと位置整合されることで、前記モニター装置を前記パッチと位置整合させてこれに装着したとき、前記プラグが前記ソケットと合体する、上記４に記載の組み合わせ。
【００４９】
６．  前記プラグが前記封入モニター装置の前記底面から外にほぼまっすぐ（substantially rigidly）延在する、上記５に記載の組み合わせ。
【００５０】
７．  前記プラグが前記パッチから延在し、前記ソケットが前記モニター装置に接続される上記３に記載の組み合わせ。
【００５１】
８．  前記プラグが屈曲自在に（flexibly）前記パッチから延在する、上記７に記載の組み合わせ。
【００５２】
９．  前記アンテナを前記プラグに接続する柔軟なワイヤをさらに含む、上記８に記載の組み合わせ。
【００５３】
１０．  前記アンテナが前記パッチ内部に埋設される、上記９に記載の組み合わせ。
【００５４】
１１．  前記モニター装置が封入材で封入されて封入モニター装置を形成する、上記１０に記載の組み合わせ。
【００５５】
１２．  前記パッチが、前記モニター装置から遠ざかる方向に延在する脚部を含み、前記アンテナが前記パッチによって前記脚部で支持される、上記１に記載の組み合わせ。
【００５６】
１３．  タイヤの内ライナにモニター装置を設置する方法であって、
第１の接続部材を持つモニター装置を設け、
モニター装置とは別個に、第２の接続部材に接続されるアンテナを持つパッチを設け、
モニター装置をパッチに取り付け、
第１と第２の接続部材を接続して、アンテナとモニター装置の間に物理的、電気的接続を確立し、
パッチを内ライナーに装着する、
ステップからなる設置方法。
【００５７】
１４．  モニター装置を設けるステップが、モニター装置と第１の接続部材の少なくとも一部を封入材でを封入するステップを含む、上記１３に記載の方法。
【００５８】
１５．  パッチを設けるステップが、アンテナと第２の接続部材の少なくとも一部をパッチ内部に埋設するステップを含む、上記１３に記載の方法。
【００５９】
１６．  モニター装置をパッチに取り付けると、第１と第２の接続部材を接続するステップが生じる、上記１３に記載の方法。
【００６０】
１７．  モニター装置をパッチに取り付けた後に、第１と第２の接続部材を接続するステップが生じる、上記１３に記載の方法。
【００６１】
１８．  モニタ装置をパッチに取り付けるステップの前に、パッチを内ライナに装着するステップが生じる、上記１７に記載の方法。
【００６２】
１９．  モニター装置をパッチに取り付けるステップの前に、タイヤの内ライナにパッチを縫いつけるステップをさらに含む、上記１８に記載の方法。
【００６３】
２０．  モニター装置がパッチに取り付けられる前に、第１と第２の接続部材の接続が生じる、上記１３に記載の方法。
【００６４】
２１．  モニター装置をパッチに取り付けるステップの前に、内ライナにパッチを装着するステップが生じる、上記１３に記載の方法。
【００６５】
２２．  モニター装置をパッチに取り付けた後に、内ライナにパッチを装着するステップが生じる、上記１３に記載の方法。
【００６６】
２３．  内ライナを持つ空気タイヤの状態をモニターするのに用いられるモニター装置とパッチの組み合わせであって、
モニター装置、
前記モニター装置に取り付けられる取り付けパッチ、
タイヤの内ライナに取り付けられるようにした固定層、
前記固定層に支持されるアンテナ、
前記モニター装置に取り付けられ、前記アンテナと接触してアンテナとモニター装置間の直接的、物理的、電気的接続をもたらすコネクタ、
を備える組み合わせ。
【００６７】
２４．  モニター装置が封入材で封入されて封入モニター装置を形成し、前記コネクタが前記封入材を通って延在する、上記２３に記載の組み合わせ。
【００６８】
２５．  前記アンテナが前記固定層内に埋設される、上記２３に記載の組み合わせ。
【００６９】
２６．  固定層が整合穴を規定する、上記２５に記載の組み合わせ。
【００７０】
２７．  前記コネクタが前記整合穴内に位置する、上記２６に記載の組み合わせ。
【００７１】
２８．  タイヤの内ライナにモニター装置を取り付けるための固定パッチであって、
内ライナに取り付けられるようにした固定層、
前記固定層に支持されるアンテナ、
前記固定層の少なくとも一側部に支持されるカバー、
前記固定層と前記カバーの間に位置する硬化材の層、
を備える、固定パッチ。
【００７２】
２９．  カバーがプラグを含み、前記プラグは前記アンテナに隣接して前記固定層内部に延在する、上記２８に記載のパッチ。
【００７３】
３０．  前記固定層が未加硫ゴムから作られる、上記２８に記載のパッチ。
【００７４】
３１．  前記カバーが加硫ゴムから作られる、上記２８に記載のパッチ。
【００７５】
３２．  前記アンテナが前記固定層内部に埋設される、上記２８に記載のパッチ。
【００７６】
３３．  タイヤの内ライナにモニター装置を取り付ける方法であって、
アンテナを支持する固定層とカバーを持つ固定パッチを設け、
固定パッチをタイヤの内ライナに取り付け、
カバーを取り外し、
コネクタを持つモニター装置を設け、
モニター装置を固定層に取り付け、
モニター装置のコネクタとアンテナを接続する、
ステップからなる方法。
【００７７】
３４．  固定パッチを内ライナに取り付けるステップが、固定パッチをタイヤに固着させるステップを含む、上記３３に記載の方法。
【００７８】
３５．  固着ステップが、固定パッチをタイヤに化学的に固着させるステップを含む、上記３４に記載の方法。
【００７９】
３６．  固着ステップが、固定層をタイヤに熱固着（heat curing）させるステップを含む、上記３４に記載の方法。
【００８０】
３７．  固定パッチを内ライナに取り付けるステップが、固定パッチをタイヤの内ライナに接着により取り付けるステップを含む、上記３３に記載の方法。
【００８１】
３８．  固定パッチを設けるステップが、カバーに取り付けられ固定層内に延在するプラグを設けるステップと、カバーを取り外した際、固定に整合穴を形成するステップを含む、上記３３に記載の方法。
【００８２】
３９．  コネクタを整合穴に位置整合し、コネクタを整合穴に挿入するステップをさらに含む、上記３８に記載の方法。
【００８３】
４０．  モニター装置に取り付けた取り付けパッチを設け、取り付けパッチを固定層に接着させるステップをさらに含む、上記３９に記載の方法。
【００８４】
４１．  モニター装置を固定層に取り付ける前に、取り付けパッチを固定層に接着させるステップが生じる、上記４０に記載の方法。
【００８５】
４２．  内ライナを持つ空気タイヤの状態をモニターするために用いられるモニター装置とパッチの組み合わせであって、
検出部材を少なくとも一つ持つモニター装置、
パッチ、
タイヤの内ライナに装着するようにしたパッチに装着されたアンテナ、
を備え、アンテナがモニター装置に電気的に接続される組み合わせ。
【００８６】
４３．  アンテナがパッチ内部に埋設される、上記４２に記載の組み合わせ。
【００８７】
４４．  取り付けパッチをさらに備え、モニター装置が取り付けパッチに装着され、取り付けパッチはアンテナを持つパッチに装着される、上記４２に記載の組み合わせ。
【００８８】
４５．  モニター装置とタイヤの組み合わせであって、タイヤが内ライナを持ち、
アンテナが内ライナに取り付けられ、
モニタ装置が内ライナに装着され、
アンテナがモニター装置に電気的に接続される、組み合わせ。
【００８９】
４６．  アンテナが内ライナ内部に埋設される、上記４５に記載の組み合わせ。
【００９０】
４７．  内ライナに取り付けられるパッチをさらに備え、モニター装置がパッチに装着される、上記４５に記載の組み合わせ。
【００９１】
本発明の特長、発見、原理、モニター装置およびパッチの組み合わせがどのように構成され用いられるか、構成の特徴、得られる有利、新規かつ有用な成果を説明したところで、新規かつ有用な構造、装置、部材、配置、部品、組み合わせを付属のクレームに明記する。
【図面の簡単な説明】
【図１】モニター装置とパッチの組み合わせが空気タイヤの内ライナに取り付けられた空気タイヤの部分断面図。
【図２】本発明のモニター装置とパッチの組み合わせの第１の実施例を示す側面断面図。
【図３】封入モニター装置に対するパッチ脚部の配置を示すモニター装置とパッチの組み合わせの端部断面図。
【図４】図３の線４−４に沿った断面図。
【図５】本発明のモニター装置とパッチの組み合わせの第２の実施例を示す側面断面図。
【図６】モニター装置とパッチの組み合わせの第２の実施例を示す側面断面図。
【図７】アンテナが固定された固定パッチをタイヤの内ライナに持つ、空気タイヤの部分断面図。
【図８】固定パッチの一部を取り除いて、アンテナへのアクセスを可能にする整合穴を設けた、図７に類似の図。
【図９】封入モニター装置とパッチの組み合わせを固定パッチに取り付けて、アンテナと、封入モニター装置内部に配置された電子モニター装置との物理的電気的接続をもたらす、封入モニター装置とパッチの組み合わせを固定パッチに取り付ける方法を示す、図７，８に類似の断面図。
【図１０】内ライナに直接取り付けたパッチ内に埋設されたモニター装置とアンテナの断面図。
【図１１】固定パッチの固定層を用いてパッチを内ライナに取り付けた、図１０に類似の図。
【符号の説明】
８  タイヤ
１０  組み合せ
１２  内ライナー
１４  モニター装置
１８  検出部材
３４  バッテリ
３４  アンテナ
【図１】
0004441058.tif 000002
【図２】
0004441058.tif 000003
【図３】
0004441058.tif 000004
【図４】
0004441058.tif 000005
【図５】
0004441058.tif 000006
【図６】
0004441058.tif 000007
【図７】
0004441058.tif 000008
【図８】
0004441058.tif 000009
【図９】
0004441058.tif 000010
【図１０】
0004441058.tif 000011
【図１１】
0004441058.tif 000012